(57)【要約】【課題】ハウジング１内に収納された、バーナ３を内蔵する燃焼筐２と、燃焼筐に連通する排気路７ａとその周囲の給気路７ｂとを構成する内外二重の給排気管７と、屋外から給気路を介してハウジング内に流入する空気を燃焼筐内にバーナの燃焼用空気として供給する燃焼ファン５とを備える強制給排気式燃焼装置において、設置位置や燃焼能力の制限を受けることなく、且つ、騒音の問題も生ずることなく、電子制御ユニット６やファンモ−タ５２の熱損を防止できるようにする。【解決手段】ハウジング１内に、燃焼筐２及び燃焼ファン５のファンケーシング５１を収納する主要空間１ａに対し仕切られた制御室１ｂを設ける。主要空間１ａに給気路７ｂを連通させ、制御室１ｂに電子制御ユニット６とファンモータ５２とを収納する。【選択図】図１
2014059114.tif 000002
【特許請求の範囲】
【請求項１】
ハウジングと、ハウジング内に収納された、バーナを内蔵する燃焼筐と、燃焼筐に連通する排気路を構成する内管及び内管との間に給気路を構成する外管から成る内外二重の給排気管と、屋外から給気路を介してハウジング内に流入する空気を燃焼筐内にバーナの燃焼用空気として供給する燃焼ファンとを備える強制給排気式燃焼装置において、
ハウジング内に、燃焼筐及び燃焼ファンの羽根車を内蔵するファンケーシングを収納する主要空間に対し仕切られた制御室が設けられ、主要空間に給気路を連通させ、制御室に電子制御ユニットと燃焼ファンのファンモータとを収納することを特徴とする強制給排気式燃焼装置。
【請求項２】
前記制御室を前記ファンモータの出力軸の周囲を介して前記ファンケーシング内に連通する通気路が設けられると共に、制御室に面する前記ハウジングの部分に冷却用の通風口が開設されることを特徴とする請求項１記載の強制給排気式燃焼装置。
【発明の詳細な説明】
【技術分野】
【０００１】
本発明は、ハウジングと、ハウジング内に収納された、バーナを内蔵する燃焼筐と、燃焼筐に連通する排気路を構成する内管及び内管との間に給気路を構成する外管から成る内外二重の給排気管と、屋外から給気路を介してハウジング内に流入する空気を燃焼筐内にバーナの燃焼用空気として供給する燃焼ファンとを備える強制給排気式燃焼装置に関する。
【背景技術】
【０００２】
この種の燃焼装置においては、排気路を流れる高温の燃焼排気によって給気路を流れる空気が７０〜８０℃程度まで加熱されることがある。この場合、ハウジング内に高温空気が流入することになり、ハウジング内に収納する電子制御ユニットや燃焼ファンのファンモータの熱損(熱による損傷等の悪影響)を生ずる恐れがある。
【０００３】
かかる不具合を解消するため、従来、給排気管の内管の外周に断熱空気層を画成するカバー管を外挿したもの(例えば、特許文献１参照)や、ハウジング内に給気路と燃焼ファンの羽根車を内蔵するファンケーシングとを直結する給気ダクトを設けたもの(例えば、特許文献２参照)が知られている。
【０００４】
ここで、カバー管を設けたものでは、燃焼排気による空気の加熱をある程度は抑制できるものの、給排気管の長さが長くなったり燃焼能力が大きくなると、ハウジング内に流入する空気の温度が高くなってしまう。従って、電子制御ユニットやファンモータの熱損を防止する上で、燃焼装置の設置位置や燃焼能力が制限される。
【０００５】
また、給気ダクトを設けたものでは、燃焼筐の周囲に燃焼ファンに向かう空気流を生じないため、燃焼筐からの放熱による熱がハウジング内にこもりやすくなる。従って、電子制御ユニットやファンモータの熱損を防止するには、ハウジングに放熱用の開口部をたくさん開けて、熱のこもりを抑制することが必要になる。その結果、バーナの燃焼音や燃焼ファンの送風音が開口部を通して外部に漏れ出やすくなり、騒音が大きくなる。
【先行技術文献】
【特許文献】
【０００６】
【特許文献１】特開２０００−１８５６６号公報
【特許文献２】実開平２−２８９４７号公報
【発明の概要】
【発明が解決しようとする課題】
【０００７】
本発明は、以上の点に鑑み、設置位置や燃焼能力の制限を受けることなく、且つ、騒音の問題も生ずることなく、電子制御ユニットやファンモ−タの熱損を防止できるようにした強制給排気式燃焼装置を提供することをその課題としている。
【課題を解決するための手段】
【０００８】
上記課題を解決するために、本発明は、ハウジングと、ハウジング内に収納された、バーナを内蔵する燃焼筐と、燃焼筐に連通する排気路を構成する内管及び内管との間に給気路を構成する外管から成る内外二重の給排気管と、屋外から給気路を介してハウジング内に流入する空気を燃焼筐内にバーナの燃焼用空気として供給する燃焼ファンとを備える強制給排気式燃焼装置において、ハウジング内に、燃焼筐及び燃焼ファンの羽根車を内蔵するファンケーシングを収納する主要空間に対し仕切られた制御室が設けられ、主要空間に給気路を連通させ、制御室に電子制御ユニットと燃焼ファンのファンモータとを収納することを特徴とする。
【０００９】
本発明によれば、主要空間に給気路から高温の空気が流入しても、主要空間に対し仕切られた制御室に収納される電子制御ユニット及びファンモータは、給気路からの高温の空気に晒されることがない。更に、主要空間の温度が燃焼筐からの放熱で高くなっても、電子制御ユニット及びファンモータは直接的な熱影響を受けない。従って、電子制御ユニット及びファンモータの熱損を防止するために、給気路に流れる空気の加熱を抑制したり、主要空間に面するハウジングの部分に放熱用の開口部を形成する必要がない。その結果、燃焼装置の設置位置や燃焼能力の制限を受けることなく、且つ、騒音の問題も生ずることなく、電子制御ユニットやファンモ−タの熱損を防止できる。
【００１０】
また、本発明においては、制御室をファンモータの出力軸の周囲を介してファンケーシング内に連通する通気路が設けられると共に、制御室に面するハウジングの部分に冷却用の通風口が開設されることが望ましい。これによれば、通風口から制御室と通気路とを介してファンケーシング内に吸込まれる空気流を生じ、この空気流で電子制御ユニットとファンモータとが空冷されることになり、電子制御ユニットやファンモ−タの熱損をより確実に防止できる。尚、通風口の開設個所は制御室に面するハウジング部分であるため、通風口から漏れ出るバーナの燃焼音や燃焼ファンの送風音の音量は小さく抑えられ、騒音の問題は生じない。
【図面の簡単な説明】
【００１１】
【図１】本発明の実施形態の強制給排気式燃焼装置である給湯装置の構成説明図。
【発明を実施するための形態】
【００１２】
図１は、本発明の実施形態の強制給排気式燃焼装置である給湯装置を示している。この給湯装置は、ハウジング１を備えており、ハウジング１内に燃焼筐２が収納されている。燃焼筐２は、バーナ３と、バーナ３よりも上方に位置する給湯用の熱交換器４とを内蔵している。
【００１３】
バーナ３は複数本並設されており、これらバーナ３へのガス供給路３１には、ダイヤフラムを有するガバナ比例弁を含むバルブユニット３２が介設されている。そして、熱交換器４の上流側の給水路４１から供給される水がバーナ３の燃焼排気との熱交換で加熱されて、熱交換器４の下流側の給湯路４２に設定温度の温水が出湯されるようにしている。
【００１４】
給湯装置は、更に、燃焼ファン５と、バルブユニット３２や燃焼ファン５を制御する電子制御ユニット６と、ハウジング１から屋外までのびる内外二重の給排気管７とを備えている。燃焼ファン５は、燃焼筐２の下端部に連通するファンケーシング５１を備えている。ファンケーシング５１は、ファンモータ５２の出力軸５２ａに連結される羽根車５３を内蔵しており、羽根車５３の回転でファンケーシング５１の吸込み口５１ａから吸込んだ空気を燃焼筐２内に送風する。
【００１５】
給排気管７は、燃焼筐２の上端部に連通する排気路７ａを構成する内管７１と、内管７１との間に給気路７ｂを構成する外管７２とから成り、バーナ３の燃焼排気が燃焼筐２から排気路７ａを介して屋外に排出され、屋外から空気が給気路７ｂを介してハウジング１内に流入するようにしている。そして、ハウジング１内に流入した空気が燃焼ファン５の作動で燃焼筐２内にバーナ３の燃焼用空気として供給される。
【００１６】
ところで、給気路７ｂを流れる空気は、排気路７ａを流れる燃焼排気によって加熱され、給気路７ｂからハウジング１内に高温の空気が流入する。そのため、高温空気による電子制御ユニット６やファンモータ５２の熱損を防止することが必要になる。
【００１７】
そこで、本実施形態では、ハウジング１内に、燃焼筐２及び燃焼ファン５のファンケーシング５１を収納する主要空間１ａに対し仕切り板１１で仕切られた制御室１ｂを設け、主要空間１ａに給気路７ｂを連通させ、制御室１ｂに電子制御ユニット６と燃焼ファン５のファンモータ５２とを収納している。
【００１８】
これによれば、主要空間１ａに給気路７ｂから高温の空気が流入しても、主要空間１ａに対し仕切られた制御室１ｂに収納される電子制御ユニット６及びファンモータ５２は、給気路７ｂからの高温の空気に晒されることがない。また、主要空間１ａの温度が燃焼筐２からの放熱で高くなっても、電子制御ユニット６及びファンモータ５２は直接的な熱影響を受けない。従って、電子制御ユニット６及びファンモータ５２の熱損を防止するために、給気路７ｂに流れる空気の加熱を抑制したり、主要空間１ａに面するハウジング１の部分に放熱用の開口部を形成する必要がない。その結果、給気路７ｂに流れる空気の加熱を抑制する上で必要な燃焼装置の設置位置や燃焼能力の制限を受けることなく、且つ、放熱用開口部からの燃焼音や送風音の漏出による騒音の問題も生ずることなく、電子制御ユニット６やファンモ−タ５２の熱損を防止できる。
【００１９】
更に、本実施形態では、制御室１ｂをファンモータ５２の出力軸５２ａの周囲を介してファンケーシング５１内に連通する通気路１２を設けると共に、制御室１ｂに面するハウジング１の部分に冷却用の通風口１３を開設している。具体的には、仕切り板１１にファンケーシング５１の底板に達する出力軸５２ａ用の挿通孔を形成し、この挿通孔を出力軸５２ａより大径として、挿通孔で通気路１２を構成している。
【００２０】
これによれば、燃焼ファン５の作動により、通風口１３から制御室１ｂと通気路１２とを介してファンケーシング５１内に吸込まれる空気流を生ずる。従って、この空気流で電子制御ユニット６とファンモータ５２とが空冷されることになり、電子制御ユニット６やファンモ−タ５２の熱損をより確実に防止できる。
【００２１】
尚、通風口１３の開設個所は制御室１ｂに面するハウジング部分であるため、通風口１３から漏れ出るバーナ３の燃焼音や燃焼ファン５の送風音の音量は小さく抑えられ、騒音の問題は生じない。
【００２２】
また、本実施形態では、バルブユニット３２が熱に弱いガバナ比例弁を含んでいるため、制御室１ｂにバルブユニット３２を収納している。但し、バルブユニット３２が熱に弱い弁を含んでいなければ、バルブユニット３２は主要空間１ａに収納してもよい。
【００２３】
以上、給湯装置に本発明を適用した実施形態について説明したが、給湯装置以外の強制給排気式燃焼装置にも同様に本発明を適用できる。
【符号の説明】
【００２４】
１…ハウジング、１ａ…主要空間、１ｂ…制御室、１２…通気路、１３…通風口、２…燃焼筐、３…バーナ、５…燃焼ファン、５１…ファンケーシング、５２…ファンモータ、５２ａ…出力軸、５３…羽根車、６…電子制御ユニット、７…給排気管、７ａ…排気路、７ｂ…給気路、７１…内管、７２…外管。
【図１】
2014059114.tif 000003